(57)【要約】      （修正有）【課題】血流を高信号で取得する。【解決手段】受信コイル３０および送信コイル４０を有するコイル装置を備える。コイル装置のコイル筐体に、ピニオン２７および２８を設け、コイル装置の送信コイル４０に、ピニオン２７および２８に歯合するラック４３および４４を設ける。動力発生源は、中央処理装置の制御を受けて、ピニオン２７および２８を回転させるための信号を生成する。この信号によって、ピニオン２７および２８を回転させ、送信コイル４０を、初期位置Ｐ０から距離Ｄだけ移動させる。【選択図】図９
2012213459.tif 000002
【特許請求の範囲】
【請求項１】
被検体にＲＦパルスを送信する送信コイルと、
前記被検体から磁気共鳴信号を受信する受信コイルと、
を有するコイル装置であって、
前記送信コイルは、移動可能に構成されている、コイル装置。
【請求項２】
前記送信コイルを移動させるための動力を前記送信コイルに伝える伝動機構を有する、請求項１に記載のコイル装置。
【請求項３】
前記伝動機構は、ラック・アンド・ピニオン機構である、請求項２に記載のコイル装置。
【請求項４】
前記送信コイルを収容する送信コイル収容空間を有するコイル筐体を備え、
前記コイル筐体にピニオンが備えられ、
前記送信コイルに、前記ピニオンに歯合するラックが備えられる、請求項３に記載のコイル装置。
【請求項５】
前記送信コイルを収容する送信コイル収容空間を有するコイル筐体を備え、
前記コイル筐体にラックが備えられ、
前記送信コイルに、前記ラックに歯合するピニオンが備えられる、請求項３に記載のコイル装置。
【請求項６】
前記伝動機構は、ウォームギア機構又はリンク機構である、請求項２に記載のコイル装置。
【請求項７】
空気圧を利用して前記送信コイルを移動させる、請求項１に記載のコイル装置。
【請求項８】
前記送信コイルを収容する送信コイル収容空間を有するコイル筐体を備え、
前記コイル筐体は、
前記送信コイル収容空間に空気を供給するための供給ホースと、
前記供給ホースからの空気を前記送信コイル収容空間に流入させるか否かを制御するための空気弁と、を有する、請求項７に記載のコイル装置。
【請求項９】
前記コイル筐体は、
前記送信コイル収容空間の空気を外部に排出するための排出ホースと、
前記送信コイル収容空間の空気を外部に排出するか否かを制御するための排出弁と、を有する、請求項８に記載のコイル装置。
【請求項１０】
前記送信コイルは、交換可能に構成されている、請求項１〜９のうちのいずれか一項に記載のコイル装置。
【請求項１１】
被検体にＲＦパルスを送信する送信コイルを内蔵するマグネットを備えた磁気共鳴イメージング装置であって、
前記送信コイルは、移動可能に構成されている、磁気共鳴イメージング装置。
【請求項１２】
前記送信コイルを移動させるための動力を発生する動力発生源と、
前記動力発生源からの動力を前記送信コイルに伝える伝動機構と、
を有する、請求項１１に記載の磁気共鳴イメージング装置。
【発明の詳細な説明】
【技術分野】
【０００１】
本発明は、被検体にＲＦパルスを送信するコイル装置および磁気共鳴イメージング装置に関する。
【背景技術】
【０００２】
血流を撮影する方法として、ＴＯＦ（Time Of Flight）法が知られている（例えば、特許文献１参照）。
【先行技術文献】
【特許文献】
【０００３】
【特許文献１】特開2007-090061号公報
【発明の概要】
【発明が解決しようとする課題】
【０００４】
ＴＯＦ法では、ＲＦパルスの影響を受けていない血流を励起面に流入させ、励起面から信号を収集する。励起面に流入した血流は高信号となるが、励起面内の背景組織は低信号となるので、背景組織が抑制され血流が描出された画像を得ることができる。
【０００５】
しかし、実際には、血流は励起面に流入するまでに、ＲＦパルスの影響を受けてしまい、血流信号が低下してしまうことがある。この場合、血流と背景組織とのコントラストが小さくなってしまい、画質が劣化してしまうという問題がある。したがって、血流信号ができるだけ低下しないようにすることが望まれている。
【課題を解決するための手段】
【０００６】
本発明の第１の態様は、被検体にＲＦパルスを送信する送信コイルと、前記被検体から磁気共鳴信号を受信する受信コイルと、を有するコイル装置であって、前記送信コイルは、移動可能に構成されている、コイル装置である。
【０００７】
本発明の第２の態様は、被検体にＲＦパルスを送信する送信コイルを内蔵するマグネットを備えた磁気共鳴イメージング装置であって、前記送信コイルは、移動可能に構成されている、磁気共鳴イメージング装置である。
【発明の効果】
【０００８】
送信コイルを移動可能にすることにより、血流の撮影に適した位置に送信コイルを移動させることができ、血流を高信号で得ることができる。
【図面の簡単な説明】
【０００９】
【図１】本発明の第１の形態のコイル装置を備えた磁気共鳴イメージング装置の概略図である。
【図２】コイル装置１００の斜視図である。
【図３】コイル装置１００の側面図である。
【図４】コイル部２の斜視図である。
【図５】コイル部２の分解斜視図である。
【図６】コイル筐体２０の断面図である。
【図７】送信コイル４０を図５に示すラインＬで分断し、平面状に展開した図である。
【図８】コイル部２の断面図である。
【図９】送信コイル４０を移動させたときの様子を示す図である。
【図１０】被検体の撮影に使用されるパルスシーケンスの一例を示す図である。
【図１１】被検体の頭部にコイル装置１００が設置された様子を示す図である。
【図１２】被検体がボアに搬送された様子を示す図である。
【図１３】設定された撮影スラブＳＬを示す図である。
【図１４】送信パルスＲＦの影響を受ける領域を概略的に示す図である。
【図１５】送信コイル４０を初期位置Ｐ０からずらしたときの様子を示す図である。
【図１６】第２の形態のコイル部の分解斜視図である。
【図１７】コイル筐体２０Ａの断面図である。
【図１８】送信コイル４０Ａを図１６に示すラインＬで分断し、平面状に展開した図である。
【図１９】コイル部２の断面図である。
【図２０】送信コイル４０Ａを移動させたときの様子を示す図である。
【図２１】第３の形態のコイル部の分解斜視図である。
【図２２】第４の形態のコイル部の分解斜視図である。
【図２３】コイル筐体２０Ｂの断面図である。
【図２４】コイル部２の断面図である。
【図２５】送信コイル４０Ｂを移動させたときの様子を示す図である。
【図２６】第４の形態におけるコイル筐体２０Ｃの斜視図である。
【図２７】図１に示すＭＲＩ装置５０とは別の構造のＭＲＩ装置５０Ａを示す図である。
【発明を実施するための形態】
【００１０】
（１）第１の形態
図１は、本発明の第１の形態のコイル装置を備えた磁気共鳴イメージング装置の概略図である。
【００１１】
磁気共鳴イメージング装置（以下、「ＭＲＩ装置」と呼ぶ。ＭＲＩ：Magnetic Resonance Imaging）５０は、マグネット５１、テーブル５２、動力発生源５３、コイル装置１００などを有している。
【００１２】
マグネット５１は、超伝導コイル５１ａと、勾配コイル５１ｂと、ＲＦコイル５１ｃとを有している。超伝導コイル５１ａは静磁場Ｂ0を印加し、勾配コイル５１ｂは勾配磁場を印加し、ＲＦコイル５１ｃはＲＦパルスの送信と被検体６１の磁気共鳴信号の受信とを行う。また、マグネット５１はボア５１ｄを有しており、ボア５１ｄの中に被検体６１が収容される。
【００１３】
テーブル５２は、クレードル５２ａを有している。クレードル５２ａは、ボア５１ｄ内に移動できるように構成されている。クレードル５２ａによって、被検体６１はボア５１ｄに搬送される。
【００１４】
コイル装置１００は、被検体６１の頭部に取り付けられている。コイル装置１００は、ＲＦパルスの送信と、被検体６１からの磁気共鳴信号の受信とを行う。コイル装置１００については、後に詳しく説明する。
【００１５】
動力発生源５３は、テーブル５２に内蔵されている。動力発生源５３は、コイル装置１００の送信コイル４０（例えば図１１（ｂ）参照）を移動させるための動力を発生する。
【００１６】
ＭＲＩ装置５０は、更に、シーケンサ５４、送信器５５、勾配磁場電源５６、受信器５７、中央処理装置５８、操作部５９、および表示部６０を有している。
【００１７】
シーケンサ５４は、中央処理装置５８の制御を受けて、被検体６１を撮影するための情報を送信器５５および勾配磁場電源５６に送る。
【００１８】
送信器５５は、シーケンサ５４から送られた情報に基づいて、送信コイル５１ｃおよびコイル装置１００の送信コイル４０（例えば、図５参照）を制御する制御信号を出力する。
【００１９】
勾配磁場電源５６は、シーケンサ５４から送られた情報に基づいて、勾配コイル５１ｂを制御する制御信号を出力する。
【００２０】
受信器５７は、マグネット５１のＲＦコイル５１ｃ又はコイル装置１００で受信された磁気共鳴信号を信号処理し、信号処理により得たれたデータを中央処理装置５８に出力する。
【００２１】
中央処理装置５８は、動力発生源５３、シーケンサ５４、表示部６０などに必要な情報を伝送したり、受信器５７から受け取ったデータに基づいて画像を再構成するなど、ＭＲＩ装置５０の各種の動作を実現するように、ＭＲＩ装置５０の各部の動作を制御する。中央処理装置５８は、例えばコンピュータ（computer）によって構成される。
【００２２】
操作部５９は、オペレータ６２により操作され、種々の情報を中央処理装置５８に入力する。表示部６０は種々の情報を表示する。
【００２３】
ＭＲＩ装置５０は、上記のように構成されている。次に、コイル装置１００について説明する。
【００２４】
図２は、コイル装置１００の斜視図、図３は、コイル装置１００の側面図である。
コイル装置１００は、コイル装置１００の土台となる基部１を有している。基部１には、送信コイルおよび受信コイルを有するコイル部２が取り付けられている。また、基部１には、被検体の頭部を支持する支持部３が取り付けられている。
【００２５】
図４は、コイル部２の斜視図、図５は、コイル部２の分解斜視図である。
コイル部２は、円筒形状に構成されている。コイル部２は、図５に示すように、コイル筐体２０と、受信コイル３０と、送信コイル４０とを有している。コイル筐体２０は、受信コイル３０および送信コイル４０が収容できるように構成されている。
【００２６】
図６は、コイル筐体２０の断面図である。
図６（ａ）は、ｚ軸に垂直な面Ｆ１でコイル筐体２０を分断したときの断面図、図６（ｂ）は、ｘ軸に垂直な面Ｆ２でコイル筐体２０を分断したときの断面図である。
【００２７】
コイル筐体２０は、内側壁２１と、中間壁２２と、外側壁２３とを有している。内側壁２１で囲まれた空間２４は、被検体の頭部を収容するための収容空間を形成している。内側壁２１と中間壁２２とに挟まれる空間２５は、受信コイル３０を収容するための受信コイル収容空間を形成している。中間壁２２と外側壁２３とに挟まれる空間２６は、送信コイル４０を収容するための送信コイル収容空間を形成している。また、中間壁２２には、２つのピニオン２７および２８が備えられている。ピニオン２７および２８は、それぞれ、送信コイル４０のラック４３および４４（図５参照）に歯合するように構成されているものである。
コイル筐体２０は、上記のように構成されている。
【００２８】
図５に戻って説明を続ける。
コイル部２は、コイル筐体２０の他に、受信コイル３０および送信コイル４０を有している。
【００２９】
受信コイル３０は、受信コイル支持体３１と、コイル導体３２とを有している。受信コイル支持体３１は、コイル導体３２を支持するものであり、円筒形状に構成されている。コイル導体３２は、受信コイル支持体３１の外面３１ａに形成されている。
【００３０】
送信コイル４０は、送信コイル支持体４１と、コイル導体４２とを有している。
送信コイル支持体４１は、コイル導体４２を支持するものであり、円筒形状に構成されている。コイル導体４２は、送信コイル支持体４１の外面４１ａに形成されている。また、送信コイル支持体４１の内面４１ｂには、２つのラック４３および４４が形成されている（図７参照）。
【００３１】
図７は、送信コイル４０を図５に示すラインＬで分断し、平面状に展開した図である。図７では、送信コイル支持体４１の内面４１ｂが示されている。
【００３２】
ラック４３および４４は、それぞれ、コイル筐体２０のピニオン２７および２８（図６参照）に歯合するように構成されているものである。ラック４３および４４は、送信コイル４０の前端面４１ｃから後端面４１ｄにまで延在するように形成されている。
【００３３】
受信コイル３０および送信コイル４０をコイル筐体２０（図６参照）に収容することによって、コイル部２が構成される。
【００３４】
図８は、コイル部２の断面図である。
図８（ａ）は、ｚ軸に垂直な面Ｆ１でコイル部２を分断したときの断面図、図８（ｂ）は、ｘ軸に垂直な面Ｆ２でコイル部２を分断したときの断面図である。
【００３５】
受信コイル３０は、コイル筐体２０の受信コイル収容空間２５に収容されており、コイル筐体２０の内側壁２１に固定されている。
【００３６】
送信コイル４０は、コイル筐体２０の送信コイル収容空間２６に収容されている。送信コイル４０のラック４３および４４は、それぞれ、コイル筐体２０のピニオン２７および２８に歯合している。ピニオン２７および２８は、動力発生源５３（図１参照）の動力によって正回転および逆回転するように構成されている。ピニオン２７および２８が正回転すると、送信コイル４０は、ｚ方向に移動し、ピニオン２７および２８が逆回転すると、送信コイル４０は、−ｚ方向に移動する（図９参照）。
【００３７】
図９は、送信コイル４０を移動させたときの様子を示す図である。
図９（ａ）は、送信コイル４０が初期位置Ｐ０に位置しているときの図、図９（ｂ）は、送信コイル４０を位置Ｐ１に移動させたときの図である。
【００３８】
ピニオン２７および２８が正回転すると、送信コイル４０がｚ方向に移動する。送信コイル４０の移動距離Ｄは、ピニオン２７および２８の回転数によって調整することができる。ピニオン２７および２８を逆回転させると、送信コイル４０を初期位置Ｐ０に戻すことができる。
【００３９】
尚、コイル筐体の外側壁２３と、送信コイル４０のコイル導体４２との間には、隙間が設けられている。したがって、コイル導体４２に損傷を与えずに、送信コイル４０を移動させることができる。
コイル装置１００は、上記のように構成されている。
【００４０】
図１０は、被検体の撮影に使用されるパルスシーケンスの一例を示す図である。
第１の形態では、３ＤＴＯＦ（３Ｄ Ｔｉｍｅ Ｏｆ Ｆｌｉｇｈｔ）法を利用したパルスシーケンスＰＳを繰り返し実行することによって、頭部の血流を撮影する。尚、本発明は、３Ｄのシーケンスではなく、２Ｄのシーケンスを用いて撮影するときにも適用できる。また、パルスシーケンスは、スピンエコーやグラディエントエコーなど、種々の手法のシーケンスを用いることができる。
【００４１】
次に、コイル装置１００を用いて、被検体を撮影する方法について、具体的に説明する。尚、以下では、説明の便宜上、コイル装置１００の送信コイル４０を初期位置Ｐ０から動かさずに被検体を撮影する場合について先に説明し、次に、コイル装置１００の送信コイル４０を初期位置からずらして被検体を撮影する場合について説明する。
【００４２】
被検体を撮影する場合、先ず、被検体をクレードルに寝かせて、被検体の頭部にコイル装置を設置する（図１１参照）。
【００４３】
図１１は、被検体の頭部にコイル装置１００が設置された様子を示す図である。
図１１（ａ）は、被検体、テーブル、およびマグネットを横から見た図、図１１（ｂ）は、図１１（ａ）に示すコイル装置１００および被検体の頭部の拡大図である。
【００４４】
図１１では、コイル装置１００の送信コイル４０は、初期位置Ｐ０に位置している。被検体にコイル装置１００を設置したら、クレードルを移動させて、被検体をボアに搬送する（図１２参照）。
【００４５】
図１２は、被検体がボアに搬送された様子を示す図である。
被検体をボアに搬送した後、スカウト画像データを取得するためのスカウトスキャンを行う。スカウトスキャンでは、マグネット５１のＲＦコイル５１ｃを用いて、ＲＦパルスの送信および磁気共鳴信号の受信を行ってもよいし、コイル装置１００を用いて、ＲＦパルスの送信および磁気共鳴信号の受信を行ってもよい。オペレータは、スカウトスキャンにより得られたスカウト画像データに基づいて、被検体の頭部に撮影スラブを設定する（図１３参照）。
【００４６】
図１３は、設定された撮影スラブＳＬを示す図である。
撮影スラブＳＬを設定した後、図１０に示すパルスシーケンスＰＳを繰り返し実行し、血流のデータを収集する。パルスシーケンスＰＳを実行する場合、コイル装置１００を用いて、ＲＦパルスの送信および磁気共鳴信号の受信を行う。
【００４７】
図１３には、撮影スラブＳＬに流入する前の動脈血として、撮影スラブＳＬに近い動脈血ＡＲ１と、撮影スラブＳＬから遠い動脈血ＡＲ２が示されている。
【００４８】
パルスシーケンスＰＳを実行すると、コイル装置１００の送信コイル４０から、送信パルスＲＦが送信される。送信パルスＲＦを送信する場合、理想的には、撮影スラブＳＬの内側のみがＲＦパルスの影響を受け、撮影スラブＳＬの外側ではＲＦパルスの影響は受けないことが望ましい。しかし、実際には、撮影スラブＳＬの周囲に位置するスピンは、送信パルスＲＦの影響を受ける（図１４参照）。
【００４９】
図１４は、送信パルスＲＦの影響を受ける領域を概略的に示す図である。
図１４では、送信パルスＲＦの影響を受ける領域の大まかな範囲を、符号「Ｑ」で示してある。したがって、撮影スラブＳＬにまだ流入していない動脈血ＡＲ１およびＡＲ２は、撮影スラブＳＬに流入するまでの間に、送信パルスＲＦの影響を受けて、スピンの縦磁化が低下する。特に、撮影スラブＳＬから離れている動脈血ＡＲ２は、撮影スラブＳＬに近い動脈血ＡＲ１よりも、送信パルスＲＦの影響を受ける回数が多いので、スピンの縦磁化はかなり減少する。したがって、送信コイル４０を初期位置Ｐ０から動かさずに撮影すると、撮像スラブＳＬの外側の動脈血は、撮像スラブＳＬに流入するまでに縦磁化が低下してしまうので、動脈血の流入効果（inflow効果）を十分に得ることができない恐れがある。そこで、第１の形態では、送信コイル４０を初期位置Ｐ０からずらして撮影を行う（図１５参照）。
【００５０】
図１５は、送信コイル４０を初期位置Ｐ０からずらしたときの様子を示す図である。
動力発生源５３（図１参照）は、中央処理装置５８の制御を受けて、ピニオン２７および２８を回転させるための信号を生成する。この信号によって、ピニオン２７および２８が回転し、送信コイル４０が移動する。図１５では、送信コイル４０は、初期位置Ｐ０から距離Ｄだけ移動している。これによって、送信パルスＲＦの影響を受ける領域は、ＱからＱ′に移動するので、動脈血ＡＲ１およびＡＲ２は、送信パルスＲＦの影響を受ける領域Ｑ′から外れる。したがって、動脈血ＡＲ１およびＡＲ２は、十分な大きさの縦磁化を保持した状態で撮影スラブＳＬに流入するので、動脈血の十分な流入効果を得ることができ、動脈血の信号強度を高くすることができる。尚、移動距離Ｄの値は、デフォルト値として事前に設定しておいてもよいし、撮影スラブＳＬの位置に基づいて計算により求めてもよい。また、移動距離Ｄの候補値として、複数の値を事前に設定しておき、複数の候補値の中から、撮影スラブＳＬの位置に対応する候補値を選択することにより、移動距離Ｄを決定してもよい。
【００５１】
また、第１の形態では、送信コイル４０と受信コイル３０は別のコイルで構成されているので、送信コイル４０が移動しても、受信コイル３０は予め決まった位置に固定される。したがって、頭部が収容される空間のほぼ全領域に渡って、受信コイル３０のコイル感度をほぼ均一に保持することができ、より高品質な画像を取得することができる。尚、上記の説明では、動脈血を描出する例について説明しているが、本発明は、静脈血を描出させる場合にも適用することができる。
【００５２】
第１の形態では、動力発生源からの動力を送信コイル４０に伝える伝動機構として、ラック・アンド・ピニオン機構が用いられている。しかし、ウォームギア機構やリンク機構など、ラック・アンド・ピニオン機構とは別の伝動機構を用いてもよい。
【００５３】
尚、第１の形態では、コイル筐体２０にピニオンが備えられており、送信コイル４０にラックが備えられているが、コイル筐体２０にラックを備え、送信コイル４０にピニオンを備えてもよい。
【００５４】
（２）第２の形態
第２の形態のコイル装置は、コイル部の構造を除いて、第１の形態のコイル装置１００と同一構造である。したがって、第２の形態の説明に当たっては、コイル部について主に説明する。
【００５５】
図１６は、第２の形態のコイル部の分解斜視図である。
第２の形態のコイル部２は、コイル筐体２０Ａと、受信コイル３０Ａと、送信コイル４０Ａとを有している。コイル筐体２０Ａは、受信コイル３０Ａおよび送信コイル４０Ａが収容できるように構成されている。
【００５６】
図１７は、コイル筐体２０Ａの断面図である。
図１７（ａ）は、ｚ軸に垂直な面Ｆ１でコイル筐体２０Ａを分断したときの断面図、図１７（ｂ）は、ｘ軸に垂直な面Ｆ２でコイル筐体２０Ａを分断したときの断面図である。
【００５７】
コイル筐体２０Ａは、内側壁２１と、中間壁２２と、外側壁２３とを有している。内側壁２１で囲まれた空間２４は、被検体の頭部を収容するための収容空間を形成している。内側壁２１と中間壁２２とに挟まれる空間２５は、受信コイル３０を収容するための受信コイル収容空間を形成している。中間壁２２と外側壁２３とに挟まれる空間２６は、送信コイル４０を収容するための送信コイル収容空間を形成している。また、外側壁２３には、２つのピニオン２７および２８が備えられている。ピニオン２７および２８は、それぞれ、送信コイル４０のラック４３および４４（図１６参照）に歯合するように構成されている。
コイル筐体２０Ａは、上記のように構成されている。
【００５８】
図１６に戻って説明を続ける。
コイル部２は、コイル筐体２０Ａの他に、受信コイル３０Ａおよび送信コイル４０Ａを有している。受信コイル３０Ａは、第１の形態の受信コイル３０と同一構造であるので、説明は省略する。
【００５９】
送信コイル４０Ａは、送信コイル支持体４１と、コイル導体４２とを有している。
送信コイル支持体４１は、コイル導体４２を支持するものであり、円筒形状に構成されている。コイル導体４２は、送信コイル支持体４１の内面４１ｂに形成されている。また、送信コイル支持体４１の外面４１ａには、２つのラック４３および４４が形成されている（図１８参照）。
【００６０】
図１８は、送信コイル４０Ａを図１６に示すラインＬで分断し、平面状に展開した図である。図１８では、送信コイル支持体４１の外面４１ａが示されている。
【００６１】
ラック４３および４４は、それぞれ、コイル筐体２０Ａのピニオン２７および２８に歯合するように構成されているものである。ラック４３および４４は、送信コイル４０の前端面４１ｃから後端面４１ｄにまで延在するように形成されている。
【００６２】
受信コイル３０Ａおよび送信コイル４０Ａをコイル筐体２０Ａ（図１７参照）に収容することによって、コイル部２が構成される。
【００６３】
図１９は、コイル部２の断面図である。
図１９（ａ）は、ｚ軸に垂直な面Ｆ１でコイル部２を分断したときの断面図、図１９（ｂ）は、ｘ軸に垂直な面Ｆ２でコイル部２を分断したときの断面図である。
【００６４】
受信コイル３０Ａは、コイル筐体の受信コイル収容空間２５に収容されており、コイル筐体の内側壁２１に固定されている。
【００６５】
送信コイル４０Ａは、コイル筐体の送信コイル収容空間２６に収容されている。送信コイル４０Ａのラック４３および４４は、それぞれ、コイル筐体のピニオン２７および２８に歯合している。ピニオン２７および２８が正回転すると、送信コイル４０Ａは、ｚ方向に移動し、ピニオン２７および２８が逆回転すると、送信コイル４０Ａは、−ｚ方向に移動する（図２０参照）。
【００６６】
図２０は、送信コイル４０Ａを移動させたときの様子を示す図である。
図２０（ａ）は、送信コイル４０Ａが初期位置Ｐ０に位置しているときの図、図９（ｂ）は、送信コイル４０Ａを位置Ｐ１に移動させたときの図である。
【００６７】
ピニオン２７および２８が正回転すると、送信コイル４０Ａがｚ方向に移動する。送信コイル４０Ａの移動距離Ｄは、ピニオン２７および２８の回転数によって調整することができる。ピニオン２７および２８を逆回転させると、送信コイル４０Ａを初期位置Ｐ０に戻すことができる。
【００６８】
尚、コイル筐体の中間壁２２と、送信コイル４０Ａのコイル導体４２との間には、隙間が設けられている。したがって、コイル導体４２に損傷を与えずに、送信コイル４０Ａを移動させることができる。
【００６９】
（３）第３の形態
第３の形態のコイル装置は、コイル部の構造を除いて、第１の形態のコイル装置１００と同一構造である。したがって、第３の形態の説明に当たっては、コイル部について主に説明する。
【００７０】
図２１は、第３の形態のコイル部の分解斜視図である。
第３の形態のコイル部２は、送信コイル４０のコイル導体４２が、送信コイル支持体４１の内部に埋め込まれている点を除いて、第１の形態のコイル部２と同一構造である。このように、コイル導体４２は、送信コイル支持体４１の内面又は外面に形成する必要はなく、埋込型にしてもよい。埋込型にすると、コイル筐体の送信コイル収容空間２６（例えば図６参照）に、コイル導体４２の損傷を防止するための隙間が不要となる。したがって、コイル筐体の送信コイル収容空間２６を狭くすることができ、コイル装置の小型化が可能となる。
【００７１】
（４）第４の形態
第４の形態では、空気圧を利用して送信コイルを移動させる例について説明する。
【００７２】
図２２は、第４の形態のコイル部の分解斜視図である。
第４の形態のコイル部２は、コイル筐体２０Ｂと、受信コイル３０Ｂと、送信コイル４０Ｂとを有している。コイル筐体２０Ｂは、受信コイル３０Ｂおよび送信コイル４０Ｂが収容できるように構成されている。
【００７３】
図２３は、コイル筐体２０Ｂの断面図である。
図２３（ａ）は、ｚ軸に垂直な面Ｆ１でコイル筐体２０Ｂを分断したときの断面図、図２３（ｂ）は、ｘ軸に垂直な面Ｆ２でコイル筐体２０Ｂを分断したときの断面図である。
【００７４】
コイル筐体２０Ｂは、内側壁２１と、中間壁２２と、外側壁２３とを有している。内側壁２１で囲まれた空間２４は、被検体の頭部を収容するための収容空間を形成している。内側壁２１と中間壁２２とに挟まれる空間２５は、受信コイル３０Ｂを収容するための受信コイル収容空間を形成している。中間壁２２と外側壁２３とに挟まれる空間２６は、送信コイル４０Ｂを収容するための送信コイル収容空間を形成している。
【００７５】
コイル筐体２０Ｂの前面には、送信コイル収容空間２６に空気を供給するための供給ホース２６１と、供給ホース２６１からの空気を送信コイル収容空間２６に流入させるか否かを制御するための空気弁２６１ａとが設けられている。空気弁２６１ａが開くことによって、供給ホース２６１の空気が送信コイル収容空間２６に流入する。更に、コイル筐体２０Ｂの前面には、送信コイル収容空間２６の空気を外部に排出するための排出ホース２６２と、送信コイル収容空間２６の空気を外部に排出するか否かを制御するための排出弁２６２ａとが設けられている。送信コイル収容空間２６の空気は、排出弁２６２ａが開くことによって、排出ホース２６２から外部に排出される。
【００７６】
コイル筐体２０Ｂの後面には、送信コイル収容空間２６に空気を供給するための供給ホース２６３と、供給ホース２６３からの空気を送信コイル収容空間２６に流入させるか否かを制御するための空気弁２６３ａとが設けられている。空気弁２６３ａが開くことによって、供給ホース２６３の空気が送信コイル収容空間２６に流入する。また、コイル筐体２０Ｂの後面には、送信コイル収容空間２６の空気を外部に排出するための排出ホース２６４と、送信コイル収容空間２６の空気を外部に排出するか否かを制御するための排出弁２６４ａとが設けられている。送信コイル収容空間２６の空気は、排出弁２６４ａが開くことによって、排出ホース２６４から外部に排出される。
コイル筐体２０Ｂは、上記のように構成されている。
【００７７】
図２２に戻って説明を続ける。
コイル部２は、コイル筐体２０Ｂの他に、受信コイル３０Ｂおよび送信コイル４０Ｂを有している。受信コイル３０Ｂは、第１の形態の受信コイル３０と同一構造であるので、説明は省略する。
【００７８】
送信コイル４０Ｂは、送信コイル支持体４１と、送信コイル支持体４１に埋め込まれたコイル導体４２とを有している。
【００７９】
受信コイル３０Ｂおよび送信コイル４０Ｂをコイル筐体２０Ｂに収容することによって、コイル部２が構成される。
【００８０】
図２４は、コイル部２の断面図である。
図２４（ａ）は、ｚ軸に垂直な面Ｆ１でコイル部２を分断したときの断面図、図２４（ｂ）は、ｘ軸に垂直な面Ｆ２でコイル部２を分断したときの断面図である。
【００８１】
受信コイル３０Ｂは、コイル筐体の受信コイル収容空間２５に収容されており、コイル筐体の内側壁２１に固定されている。
【００８２】
送信コイル４０Ｂは、コイル筐体の送信コイル収容空間２６（図２３参照）に収容されている。送信コイル４０Ｂは、コイル筐体の中間壁２２と外側壁２３に密着しながらスライドできるように構成されている。送信コイル４０Ｂは、コイル筐体の中間壁２２と外側壁２３に密着しているので、コイル筐体の送信コイル収容空間２６（図２３参照）は、送信コイル４０Ｂの前側の収容空間２６ａと、送信コイル４０Ｂの後側の収容空間２６ｂとに分かれる。
【００８３】
供給ホース２６１から前側の収容空間２６ａに空気を供給すると、前側の収容空間２６ａの空気圧が大きくなり、送信コイル４０Ｂをｚ方向に押す。送信コイル４０Ｂは、コイル筐体の中間壁２２と外側壁２３に密着しながらスライドできるように構成されているので、送信コイル４０Ｂはｚ方向に移動する。一方、供給ホース２６３から後側の収容空間２６ｂに空気を供給すると、後側の収容空間２６ｂの空気圧が大きくなり、送信コイル４０Ｂを−ｚ方向に押す。送信コイル４０Ｂは、コイル筐体の中間壁２２と外側壁２３に密着しながらスライドできるように構成されているので、送信コイル４０Ｂは−ｚ方向に移動する（図２５参照）。
【００８４】
図２５は、送信コイル４０Ｂを移動させたときの様子を示す図である。
図２５（ａ）は、送信コイル４０Ｂが初期位置Ｐ０に位置しているときの図、図２５（ｂ）は、送信コイル４０Ｂを位置Ｐ１に移動させたときの図である。
【００８５】
先ず、図２５（ａ）に示すように、空気弁２６１ａおよび２６４ａを開いた状態にし、空気弁２６２ａおよび２６３ａを閉じた状態にして、供給ホース２６１から前側の収容空間２６ａに空気を供給する。この状態で空気を供給すると、前側の収容空間２６ａの空気圧が大きくなるので、送信コイル４０はｚ方向に移動する。このとき、後側の空気弁２６４ａは開いているので、後側の収容空間２６ｂの空気は、排出ホース２６４から外部に排出される。したがって、図２５（ｂ）に示すように、送信コイル４０Ｂを位置Ｐ１に移動させることができる。送信コイル４０Ｂの移動距離Ｄは、前側の収容空間２６ａに供給される空気量によって調整することができる。送信コイル４０Ｂを初期位置Ｐ０に戻すには、４つの空気弁２６１ａ〜２６４ａの開閉を逆にして、供給ホース２６３から空気を供給すればよい。
【００８６】
このように、空気圧を利用して送信コイル４０Ｂを移動させてもよい。尚、第４の形態では、空気の供給と排出を別々のホースを用いて行っているが、空気の供給と排出との両方を兼ねるホースを用いてもよい。
【００８７】
（５）第５の形態
第５の形態のコイル装置は、コイル筐体の構造を除いて、第１の形態のコイル装置１００と同一構造である。したがって、第５の形態の説明に当たっては、コイル筐体について主に説明する。
【００８８】
図２６は、第５の形態におけるコイル筐体２０Ｃの斜視図である。
図２６（ａ）は、コイル筐体２０Ｃの分解前の図、図２６（ｂ）は、コイル筐体２０Ｃの分解後の図である。
【００８９】
コイル筐体２０Ｃは、コイル筐体本体２０１と、蓋部２０２とを有している。蓋部２０２は、コイル筐体本体２０１に対して、着脱自在に装着できるように構成されている。コイル筐体本体２０１は、内側壁２１と、中間壁２２と、外側壁２３とを有している。内側壁２１で囲まれた空間２４は、被検体の頭部を収容するための収容空間を形成している。内側壁２１と中間壁２２とに挟まれる空間２５は、受信コイル３０を収容するための受信コイル収容空間を形成している。中間壁２２と外側壁２３とに挟まれる空間２６は、送信コイル４０を収容するための送信コイル収容空間を形成している。また、中間壁２２には、２つのピニオン２７および２８が備えられている。
【００９０】
コイル筐体２０Ｃは、上記のように構成されている。第５の形態では、コイル筐体２０Ｃの蓋部２０２を開けることによって、コイル筐体２０Ｃに収容される受信コイルおよび送信コイルを自由に交換することができる。したがって、必要に応じて、撮影に適した送信コイル又は受信コイルを用いることができ、より高品質な画像を得ることができる。
【００９１】
尚、第２〜第４の形態についても、送信コイル又は受信コイルを交換可能に構成してもよい。
【００９２】
（６）第６の形態
図２７は、図１に示すＭＲＩ装置５０とは別の構造のＭＲＩ装置５０Ａを示す図である。
【００９３】
ＭＲＩ装置５０Ａは、マグネット５１の内部に、送信コイル５１ｅを備えているが、その他の構成は、図１に示すＭＲＩ装置５０と同じである。送信コイル５１ｅは、第１〜第５の形態に示したコイル装置の送信コイルと同様に、ｚ軸方向に移動できるように構成されている。このように、移動可能な送信コイル５１ｅを、マグネット５１に備えてもよい。送信コイル５１ｅを備えることによって、コイル装置１００（図１参照）を用いなくても、動脈血の十分な流入効果が得られた画像を取得することができる。
【００９４】
また、送信コイル５１ｅを複数備え、撮影部位の位置に応じて、複数の送信コイル５１ｅを個別に移動させることができるようにしてもよい。複数の送信コイル５１ｅを備えることによって、より最適な送信コイルを用いてＲＦパルスを送信することが可能となる。
【符号の説明】
【００９５】
１  基部
２  コイル部
３  支持部
２０、２０Ａ、２０Ｂ、２０Ｃ  コイル筐体
２１  内側壁
２２  中間壁
２３  外側壁
２４  収容空間
２５  受信コイル収容空間
２６  送信コイル収容空間
２７、２８  ピニオン
３０、３０Ａ、３０Ｂ、３０Ｃ  受信コイル
３１  受信コイル支持体
３２  コイル導体
４０、４０Ａ、４０Ｂ、４０Ｃ  送信コイル
４１  送信コイル支持体
４１ａ  外面
４１ｂ  内面
４２  コイル導体
４３、４４  ラック
５０、５０Ａ  ＭＲＩ装置
５１  マグネット
５１ｅ  送信コイル
５２  テーブル
５２ａ  クレードル
５１ａ  超伝導コイル
５１ｂ  勾配コイル
５１ｃ  ＲＦコイル
５１ｄ  ボア
５３  動力発生源
５４  シーケンサ
５５  送信器
５６  勾配磁場電源
５７  受信器
５８  中央処理装置
５９  操作部
６０  表示部
６１  被検体
６２  オペレータ
１００  コイル装置
【図１】
2012213459.tif 000003
【図２】
2012213459.tif 000004
【図３】
2012213459.tif 000005
【図４】
2012213459.tif 000006
【図５】
2012213459.tif 000007
【図６】
2012213459.tif 000008
【図７】
2012213459.tif 000009
【図８】
2012213459.tif 000010
【図９】
2012213459.tif 000011
【図１０】
2012213459.tif 000012
【図１１】
2012213459.tif 000013
【図１２】
2012213459.tif 000014
【図１３】
2012213459.tif 000015
【図１４】
2012213459.tif 000016
【図１５】
2012213459.tif 000017
【図１６】
2012213459.tif 000018
【図１７】
2012213459.tif 000019
【図１８】
2012213459.tif 000020
【図１９】
2012213459.tif 000021
【図２０】
2012213459.tif 000022
【図２１】
2012213459.tif 000023
【図２２】
2012213459.tif 000024
【図２３】
2012213459.tif 000025
【図２４】
2012213459.tif 000026
【図２５】
2012213459.tif 000027
【図２６】
2012213459.tif 000028
【図２７】
2012213459.tif 000029